(57)【要約】【課題】フルオレスカミンと一級アミノ酸との蛍光反応物をＨＰＬＣで分析することにより、迅速かつ簡便に総アミノ酸量を定量する。【解決手段】試料液をフルオレスカミンと反応させると共に１種あるいは数種混合の標準アミノ酸溶液をフルオレスカミンと反応させ、それぞれ、イオン交換樹脂カラムにアセトニトリル／水を溶離液として用いるＨＰＬＣ分析を実施、４８０ｎｍの蛍光強度をピーク面積として測定し、標準アミノ酸の濃度に基づき、総アミノ酸量を算出する。【選択図】なし【特許請求の範囲】
【請求項１】
アミノ酸類を含有する試料中の総アミノ酸量の分析法であって、前記試料と標準アミノ酸溶液のそれぞれをフルオレスカミンと反応した後、生成する蛍光物質を高速液体クロマトグラフィー（ＨＰＬＣ）で１ピークとして分離、定量し、標準アミノ酸溶液のアミノ酸量から試料中の総アミノ酸量を求めることを特徴とする試料中の総アミノ酸量の定量方法。
【請求項２】
前記ＨＰＬＣの分離カラムが陽イオン交換樹脂カラムであることを特徴とする請求項１に記載の分析方法。
【請求項３】
前記ＨＰＬＣの溶離液がアセトニトリル／水の混合溶液であり、アセトニトリル／水の混合比率が容量比で５／９５〜５０／５０である請求項１または２のいずれか１項に記載の分析方法。
【請求項４】
前記ＨＰＬＣの分離温度が５〜４０℃の範囲である請求項１〜３のいずれか１項に記載の分析方法。
【発明の詳細な説明】
【技術分野】
【０００１】
本発明はフルオレスカミンによる蛍光発色を用いた総アミノ酸量の簡便な定量法に関する。
【背景技術】
【０００２】
アミノ酸は果実、果汁、野菜、穀類、豆類、畜肉製品、乳製品、魚介類、醸造食品などあらゆる食品中に存在しており、重要な栄養素として摂取されるだけでなく、それ自身、味覚物質であり、おいしさの要素となり食生活に潤いを与えている。また、最近、消費者の強い健康志向に支えられてビタミン類と同様、アミノ酸を含有するサプリメント、ドリンク剤、あるいはスポーツドリンクなどの飲料、健康食品が急速に普及し、大量に消費されている。一方、アミノ酸の分析法としては種々のカラムを用いたＨＰＬＣ法が一般的であり、特にアミノ酸自動分析計による分析は最も研究され、確立され、一般に広く普及した分析方法である。その原理はニンヒドリンまたはオルトフタルアルデヒドを反応試薬とし、イオン交換樹脂を用いるＨＰＬＣで分離分析する方法であり、これにより一般的に２８〜３８成分の個々のアミノ酸の同時定量が行われている（非特許文献１）。しかしながら、ニンヒドリンを反応試薬として用いるアミノ酸自動分析計により生体標準アミノ酸を分析する場合には分析時間が１品目５〜６時間かかり、多検体の試料を迅速に分析する必要のある品質管理などの分析法としては不適であった。また、アミノ酸、ペプチド、アミンなど一級アミンの蛍光反応試薬であるフルオレスカミンを用いたアミノ酸のＨＰＬＣ分析による分離分析に関する報告があり、フルオレスカミンを用いるこの方法はアミノ酸に対し、ニンヒドリンの約１００倍と高感度の分析が可能である（非特許文献２）。しかしながら、フルオレスカミンを用いたアミノ酸分析は試料中のアミノ酸とフルオレスカミンの蛍光反応物を測定する際にＨＰＬＣカラムを順次溶出してくる個々の成分を分離分析する方法であり、あらかじめ測定しようとする全てのアミノ酸を標準アミノ酸として別途、分離分析する必要があった。これまで試料中に存在する複数のアミノ酸をＨＰＬＣ分析により１ピークとして分離し、定量した報告はない。
【０００３】
【非特許文献１】島津アプリケーションニュース、Ｎｏ．Ｌ２９２Ａ、醸造成分のアミノ酸分析
【非特許文献２】Ｍｅｔｈｏｄｓ  ｉｎ  Ｍｏｌｃｕｌａｒ  Ｂｉｏｌｏｇｙ、７９，ｐ１２５−１３０（１９９８）
【発明の開示】
【発明が解決しようとする課題】
【０００４】
本発明の目的は食品または食品原料などのアミノ酸類を含有する試料中の総アミノ酸量を迅速、簡便かつ高感度に定量する方法を提供することである。
【課題を解決するための手段】
【０００５】
本発明者らは上記課題を解決するために鋭意研究を重ねた結果、今回驚くべきことに試料中のアミノ酸類とフルオレスカミンが反応して生成した蛍光物質をＨＰＬＣ分析の際にカラムとして陽イオン交換樹脂カラムを使用し、アセトニトリル／水を溶離液として使用、温度４０℃以下で溶出を行うと蛍光物質が同じ溶出時間に１つのピークとして溶出し、１０〜１５分で分析が完了、総アミノ酸量の定量が可能であることを見出し、本発明を完成するに至った。
【０００６】
かくして本発明はアミノ酸類を含有する試料中の総アミノ酸量の分析法であって、前記試料と標準アミノ酸溶液のそれぞれをフルオレスカミンと反応した後、生成する蛍光物質を高速液体クロマトグラフィー（ＨＰＬＣ）で１ピークとして分離、定量し、標準アミノ酸溶液のアミノ酸量から試料中の総アミノ酸量を求めることを特徴とする総アミノ酸量の定量方法を提供するものである。
【０００７】
本発明は、また、ＨＰＬＣの分離カラムが陽イオン交換樹脂カラムであることを特徴とする前記方法を提供するものである。
【０００８】
本発明は、また、ＨＰＬＣの溶離液がアセトニトリル／水の混合溶液であり、アセトニトリル／水の混合比率が容量比で５／９５〜５０／５０である前記方法を提供するものである。
【０００９】
本発明は、また、ＨＰＬＣの分離温度が５〜４０℃の範囲である前記方法を提供するものである。
【発明の効果】
【００１０】
本発明によれば、簡便、迅速かつ高感度の総アミノ酸量の定量方法を提供することができる。
【発明を実施するための最良の形態】
【００１１】
以下、本発明についてさらに詳細に説明する。
【００１２】
本発明のアミノ酸類としては、例えば、ｏ-フォスホセリン、ｏ-フォスホエタノールアミン、アスパラギン酸、スレオニン、セリン、アスパラギン、グルタミン酸、グルタミン、サルコシン、α-アミノアジピン酸、グリシン、アラニン、シトルリン、アミノ酪酸、バリン、シスチン、メチオニン、イソロイシン、シスタチオン、ロイシン、チロシン、フェニルアラニン、β-アラニン、β-アミノイソ酪酸、γ-アミノ酪酸、トリプトファン、ヒスチジン、３−メチルヒスチジン、１-メチルヒスチジン、カルノシン、アンセリン、ヒドロキシリジン、オルニチン、リジン、アルギニン、テアニンなどフルオレスカミンと反応し、蛍光物質を生成する一級アミンのアミノ酸を挙げることができるがこれらに限定されるものではない。
【００１３】
本発明の定量法で通常、定量を行うのは上記の如きアミノ酸であるが、それ以外にフルオレスカミンと反応する一級アミンである、アミノ酸が２分子以上結合したグリシルグリシン、グルタミルアラニン、グルタミルチロシルロイシンなどのペプチド、メチルアミン、エチルアミンなどのアミンもアミノ酸の蛍光反応物に比べれば４８０ｎｍの蛍光強度は低いものの同時に標準アミノ酸に換算した数値として定量が可能である。
【００１４】
また、本発明で総アミノ酸量の定量を行う試料としては加工時にアミノ酸を特定量添加したサプリメント、ドリンク剤、アミノ酸を含有するスポーツドリンクなどの飲料、健康食品、あるいはこれらの研究開発のために使用されるアミノ酸を混合した溶液、更にはアミノ酸を含有する緑茶、中国茶、紅茶などの茶類、果実・果汁類、野菜類、醸造食品、その他食品などを挙げることができるが、これらに限定されるものではない。
【００１５】
本発明の定量法で使用する標準アミノ酸溶液の調製は、例えば、加工時、あるいは調製時に添加したアミノ酸の種類と量がわかっている場合には、まず、添加したアミノ酸と同組成、あるいは添加量の上位１品目〜数品目のアミノ酸を選択し、個々のアミノ酸約１〜５０ｍｇを１００ｍｌのメスフラスコに精秤し、イオン交換水を加え１００ｍｌとする。この溶液１ｍｌを２０ｍｌメスフラスコに取り、イオン交換水で２０ｍｌとし標準アミノ酸溶液を得る。アミノ酸の種類と量がわからない場合にはまず、アミノ酸類を含有する試料のアミノ酸分析を実施するか、または文献値を参考にして同組成あるいは上位１品目〜数品目のアミノ酸を選択し、標準アミノ酸溶液を調製する。
【００１６】
また、前述のアミノ酸類を含有する試料から分析試料を調製する手順は、測定を行うＨＰＬＣ装置、蛍光検出器の蛍光物質の測定範囲などにより異なり、一概には言えないが、例えば、アミノ酸類を含有する試料０．０５〜２ｇ程度を１０〜５０ｍｌのメスフラスコに精秤し、イオン交換水で希釈し、アミノ酸の場合では３〜２０ｐｐｍの範囲の濃度とする方法を挙げることができる。
【００１７】
本発明のフルオレスカミンは市販品として購入することが出来る。例えば、Ｆｕｒａｍ（シグマアルドリッチ社製）、ＨＰＬＣ用フルオレスカミン（東京化成工業社製）、Ｆｌｕｏｒｅｓｃａｍｉｎｅ ９９％（Ｌａｎｃａｓｔｅｒ Ｓｙｎｔｈｅｓｉｓ Ｌｔｄ．）などを挙げることができるがこれらに限定されるものではない。また、フルオレスカミン溶液は、測定を行うＨＰＬＣ装置、蛍光検出器の蛍光物質の測定範囲などにより異なり、一概には言えないが、例えば、フルオレスカミン約６〜１０ｍｇを１０ｍｌのメスフラスコに精秤し、アセトンを加えて溶解、１０ｍｌとする方法を挙げることができる。
【００１８】
本発明においてアミノ酸溶液とフルオレスカミン溶液の反応はＨＰＬＣの前処理すなわち、プレカラム法により行う。例えば、アミノ酸溶液１ｍｌを正確に量り取り、１０ｍｌのメスフラスコに加える。これに０．２Ｍホウ酸緩衝液（ｐＨ９．５）を４ｍｌ加えた後、３ｍＭフルオレスカミン溶液１．０ｍｌを加えてよく混合する。室温で１０分間反応後、イオン交換水で１０ｍｌにメスアップする。本発明者らが検討した結果では１０〜２０分間程度の反応後、ＨＰＬＣ分析に供すればアミノ酸とフルオレスカミンの蛍光反応物は安定であり、定量性に問題はなかった。実際の反応ではその他の条件と共に反応に使用する溶液の濃度、量を決定すればよい。
【００１９】
本発明の陽イオン交換樹脂は特別に制限されるものではなく、アセトニトリル／水の溶離液を使用できるものならどんな種類の樹脂でも構わないが、例えば、ＳＨＯＤＥＸ ＲＳｐａｋＮＮ−８１４、ＳＰ−８２５、ＳＰ−４２０Ｎ、ＣＭ−８２５（以上昭和電工社製、登録商標）、カプセルパックＳＣＸ ＵＧ８０（資生堂社製、登録商標）、ＣＯＳＭＯＧＥＬ ＣＭ、ＣＯＳＭＯＧＥＬ ＳＰ（ナカライテスク社製、登録商標）、ＴＳＫｇｅｌＳＣＸ７１５８（東ソー社製、登録商標）などを挙げることができるが、イオン交換容量の低いイオン交換樹脂の方が分析時間が短く、ピークがシャープとなり良好な分析を行うことが出来る。アセトニトリル／水を溶離液として使用するためにイオン交換樹脂の基材、溶離液、蛍光反応物との間で逆相クロマトグラフィーによる分離が行われると共にイオン交換基による分離も関与すると推測される。
【００２０】
本発明のＨＰＬＣ装置は特に制限はされないが、例えば、Ｍ１０Ａ−ＶＰ、ＬＣ−２０１０ＨＴ（以上島津製作所社製）、ＦＳ−８０２０（東ソー社製）ＬａＣｈｒｏｍＥｌｉｔｅ（日立製作所社製、登録商標）、ＬＣ−２０００Ｐｌｕｓ（日本分光社製）などを挙げることができる。
【００２１】
本発明の蛍光検出器は特に制限はされないが、例えば、ＲＦ−１０ＡＸＬ（島津製作所社製）、ＮＡＮＯＳＰＡＣＥ蛍光検出器（資生堂社製、登録商標）、２４７５マルチλ蛍光検出器（ウォーターズ社製）などを挙げることができる。
【００２２】
本発明の一実施態様を例示すれば次の通りである：試料である混合アミノ酸モデルとしてロイシン、イソロイシン、バリン、グルタミン酸、グルタミン、アスパラギン酸、アスパラギンをそれぞれ約２５ｍｇ、約２０ｍｇ、約２０ｍｇ、約１５ｍｇ、約１０ｍｇ、約１０ｍｇ、約５ｍｇを１００ｍｌのメスフラスコに精秤し、イオン交換水を加えメスアップした後、さらに１００倍希釈し、試料液とする。次にロイシン、イソロイシン、バリン、グルタミン酸をそれぞれ、約２５ｍｇ、約２０ｍｇ、約２０ｍｇ、約１５ｍｇを１００ｍｌのメスフラスコに精秤し、イオン交換水を加え１００ｍｌとする。次にこの溶液１ｍｌを５０ｍｌメスフラスコに取り、イオン交換水で５０ｍｌとし標準アミノ酸溶液を得る。得られた試料液１ｍｌを１０ｍｌメスフラスコに取り、０．２Ｍホウ酸緩衝液（ｐＨ９．５）４ｍｌおよびフルオレスカミン溶液（３ｍＭ）１．０ｍｌを加え、試験管ミキサーを使用し、よく混合する。室温で１０分間放置反応後イオン交換水で全量を１０ｍｌとする。次にＨＰＬＣ分析であるが、溶離液としてアセトニトリル／水＝１０／９０（容量比）を流速１．０ｍｌ／ｍｉｎ、温度３０±２℃で流した陽イオン交換樹脂のカラムに試料液５〜１０μｌを導入することにより実施する。溶離液にリン酸などの酸を添加するとピークがブロードとなるので添加しないことが好ましい。また、４０℃を超える温度で測定を行う場合もピークがブロードになるため、５〜４０℃の範囲で分析を行う。溶出してくるアミノ酸とフルオレスカミンの反応生成物は蛍光検出器により励起波長２８０ｎｍ、蛍光波長４８０ｎｍで測定を行う。既に説明したようにフルオレスカミン溶液は通常、アセトンにフルオレスカミンを溶解したものを使用し、この際、クロマトグラム上にアセトン由来の４８０ｎｍの発光ピークが現れるがアミノ酸とフルオレスカミンの反応生成物とは溶出位置が異なるため、定量の妨げとはならない。標準アミノ酸溶液についても試料液と同様の手順により、分析を行うが希釈倍率の異なる２〜５品の標準アミノ酸溶液について分析を行い、検量線を作成する。その理由はアミノ酸をまったく含まない溶液を分析する場合にもバックグラウンドとしてわずかな発光ピークが見られるため、３〜２０ｐｐｍの濃度範囲に調整された複数の標準液の分析結果を基に検量線を作成し、試料液の蛍光強度と検量線から測定した試料液のアミノ酸濃度を求めるためである。試料中の総アミノ酸量はこの値に希釈倍率を乗じて算出することができる（式１）。通常は２点検量線、３点検量線のデータから試料希釈液の濃度を計算する。
【００２３】
試料液の総アミノ酸量（ｍｇ％）
＝検量線により求められた試料希釈液のアミノ酸量（ｍｇ％）×希釈倍率
（式１）
アミノ酸はペプチド、タンパク質などと共にアミノ態窒素と呼ばれ、食品の成分の一つの指標として使用されることがあるが、その場合には上記の式において標準アミノ酸溶液のアミノ酸量をアミノ態窒素（ｍｇ％）で表せば、試料液の総アミノ酸量をアミノ態窒素換算で表すこともできる。
【００２４】
以下、本発明を実施例および比較例によりさらに具体的に説明する。
【実施例】
【００２５】
実施例１
試料溶液である混合アミノ酸モデルの調製
試料溶液である混合アミノ酸モデルの調製を次のようにして行った。すなわち、表１に示した組成のアミノ酸を１００ｍｌのメスフラスコに精秤し、イオン交換水を加え１００ｍｌにメスアップした。これをさらにイオン交換水を用い、３００倍希釈し、試料溶液を得た。
【００２６】
【表１】
2007046951.tif 000002
【００２７】
標準アミノ酸溶液の調製
実施例１の試料溶液に含まれるアミノ酸よりアスパラギン酸、アラニン、メチオニン、フェニルアラニンを選択し、それぞれ５．４ｍｇ、７．２６ｍｇ、５．６０ｍｇ、５．７３ｍｇを精秤し、イオン交換水を加えて１００ｍｌにメスアップし、標準アミノ酸溶液１を得た。これにさらにイオン交換水を加え、検量線作成のための２５倍希釈液（１ａ）および７５倍希釈液（１ｂ）を得た。また、アスパラギン酸、アラニンをそれぞれ、５．８ｍｇ、７．５１ｍｇを精秤し、試料液と同様の操作を行い、標準アミノ酸溶液２を調製し、さらにイオン交換水を加えて希釈し、１０倍希釈液（２ａ）、４０倍希釈液（２ｂ）を得た。
【００２８】
試料溶液及び標準アミノ酸溶液とフルオレスカミン溶液との反応
試料溶液１ｍｌを１０ｍｌメスフラスコに取り、０．２Ｍホウ酸緩衝液（ｐＨ９．５）４ｍｌおよびフルオレスカミン溶液（３ｍＭ）１．０ｍｌを加え、試験管ミキサーを使用し、よく混合する。室温で１０分間放置反応後イオン交換水で全量を１０ｍｌとする。１ａ、１ｂ、２ａ、２ｂについても、それぞれ同様の手順で反応を行った。
【００２９】
ＨＰＬＣによる蛍光反応物の分析
上記の手順で得られた試料溶液、１ａ、１ｂ、２ａ、２ｂのフルオレスカミン溶液との反応物を以下の方法により、ＨＰＬＣ分析を行った。
【００３０】
ＨＰＬＣの分析条件は以下の通り：
（測定条件）
ＨＰＬＣ装置：ＰＤ−８０２０（東ソー社製）
カラム：ＳＨＯＤＥＸ ＲＳｐａｋＮＮ−８１４（８．０ｍｍ×２５０ｍｍ）
溶離液：アセトニトリル／イオン交換水＝１０／９０（容量比）
流速：１．０ｍｌ／ｍｉｎ
検出器：ＦＳ−８０２０（東ソー社製）
検出条件：励起波長２８０ｎｍ、蛍光波長４８０ｎｍ
温度：３０±２℃
注入量：１０μｌ
試料溶液、１ａ、１ｂ、２ａ、２ｂのクロマトグラムはいずれのピークもシャープで良好な分離を示した。試料溶液および標準アミノ酸溶液１の２５倍希釈液（１ａ）のＨＰＬＣチャートをそれぞれ、図２、図３に示す。いずれのクロマトグラムにおいてもアミノ酸とフルオレスカミンの反応物の保持時間は約６分であった。また、ＨＰＬＣチャート上にアセトン由来のピークが見られたがその保持時間は約１０分であった。
【００３１】
ピーク面積からの総アミノ酸量の算出
上記で行った試料溶液の蛍光強度、標準アミノ酸溶液１の希釈液の検量線および前記式１により、試料溶液の総アミノ酸量を算出したところ、１４１．７３ｍｇ％の値が得られた（本発明法１）。同様に標準アミノ酸溶液２の希釈液の検量線および前記式１により、試料溶液の総アミノ酸量を算出したところ、１４３．８９ｍｇ％の値を得た（本発明法２）。
【００３２】
上記で求めた総アミノ酸量のアミノ態窒素への換算
上記で得られた標準アミノ酸溶液１の結果を基に算出した試料液の総アミノ酸量をアミノ態窒素に換算したところ、１６．１ｍｇ％となった（本発明法３）。同様に標準アミノ酸溶液２を基に算出した試料液の総アミノ酸量をアミノ態窒素に換算したところ、１６．３ｍｇ％であった（本発明法４）。
【００３３】
比較例１
アミノ酸自動分析計による混合アミノ酸モデルの総アミノ酸量の定量
実施例１で調製した混合アミノ酸モデルをアミノ酸分析計により測定し、総アミノ酸量を求めた（比較法１）。
【００３４】
比較例２
混合アミノ酸モデルのアミノ態窒素の測定
実施例１の試料溶液をアミノ態窒素の測定器であるスミグラフＮ−３００（住化分析センター社製、登録商標）を用いてアミノ態窒素を測定したところ、１６．７ｍｇ％の値が得られた（比較法２）。
【００３５】
比較例３
混合アミノ酸モデルのアミノ態窒素理論値
実施例１の試料中の各アミノ酸のアミノ態窒素の理論値を合計し、混合アミノ酸モデルのアミノ態窒素理論値を算出し、１５．８ｍｇ％の値を得た（比較法３）。
【００３６】
実施例１および比較例１、２、３で得られた総アミノ酸量またはアミノ態窒素の値を表２に示す。
【００３７】
【表２】
2007046951.tif 000003
【００３８】
表２に示すとおり、混合アミノ酸モデル（試料溶液）は総アミノ酸量が１４０．４１ｍｇ％であり、これをアミノ酸自動分析計で分析した比較法１の総アミノ酸量は１４０．１ｍｇ％であった。また、本発明法１および２は分析時間が約１５分であったが比較法１では約３時間を要した。一方、４種のアミノ酸を標準アミノ酸とした本発明法１および２種のアミノ酸を標準アミノ酸とした本発明法２により算出した値は、それぞれ１４１．７３ｍｇ％、１４３．８９ｍｇ％となり、試料溶液の値に近い値が得られた。一方、総アミノ酸量をアミノ態窒素として比較してみれば混合アミノ酸モデルのアミノ態窒素の理論値は比較法３の１５．８ｍｇ％であるが、これを実測したものが比較法２であり、１６．７ｍｇ％であった。これに対し、本発明法３、本発明法４、すなわち、４種および２種の標準アミノ酸を用いてそれぞれ算出した総アミノ酸量をアミノ態窒素に換算した値は１６．１ｍｇ％、１６．３ｍｇ％となり実測値に非常に近いものであった。
【００３９】
実施例２
アミノ酸濃度と蛍光強度の関係
試料溶液および標準アミノ酸溶液１，２の希釈液の分析を行うに先立って３、５、１０、１５、２０ｐｐｍの標準グルタミン酸溶液を調製し、実施例１の測定条件にしたがってＨＰＬＣ分析を実施し、アミノ酸濃度と蛍光強度の関係を調べた。図１はその結果をグラフにしたものであるがグルタミン酸濃度が３〜２０ｐｐｍの範囲内においてアミノ酸濃度と蛍光強度の間には良好な直線性が見られ、本発明の方法はこの範囲において総アミノ酸量の定量法として十分使用可能であることが確認された。
【００４０】
実施例３
リンゴ濃縮果汁の総アミノ酸量の分析
市販のリンゴ濃縮果汁および標準アミノ酸としてアスパラギン２５．５ｍｇ％を精秤し、イオン交換水に溶解し、１００ｍｌにメスアップしたものを用いて実施例１の手順に従ってＨＰＬＣ分析を実施し、前記式１により総アミノ酸量を算出した（本発明法５）。
【００４１】
比較例４
リンゴ濃縮果汁の総アミノ酸量の分析（アミノ酸自動分析計）
比較例１と同様な手順でリンゴ濃縮果汁の総アミノ酸量をアミノ酸自動分析計により求めた（比較法４）。
【００４２】
実施例４
緑茶抽出液の総アミノ酸量の分析
市販の緑茶の茶葉４ｇを熱湯４００ｍｌで５分間抽出し、緑茶抽出液を得た。標準アミノ酸としてテアニン６０．３ｍｇ、グルタミン酸３０．５ｍｇ、アスパラギン酸１１．０ｍｇを精秤し、イオン交換水に溶解し、１００ｍｌにメスアップしたものを用いて実施例１の手順に従ってＨＰＬＣ分析を実施し、前記式１により総アミノ酸量を算出した（本発明法６）。
【００４３】
比較例５
緑茶抽出液の総アミノ酸量の分析（アミノ酸自動分析計）
比較例１と同様な手順で緑茶抽出液の総アミノ酸量をアミノ酸自動分析計により求めた（比較法５）。
【００４４】
実施例３〜４および比較例４〜５で得られた総アミノ酸量等の結果を表３に示した。
【００４５】
【表３】
2007046951.tif 000004
【００４６】
表３に示すとおり、比較法４がリンゴ濃縮果汁のアミノ酸分析計による総アミノ酸量の値である。総アミノ酸量は３９３．４ｍｇ％であった。これに対し、アスパラギンを標準アミノ酸として用い総アミノ酸量を求めた本発明法５の値は４７０．０８ｍｇ％であった。また、比較法５は緑茶抽出液のアミノ酸分析計による総アミノ酸量の値であり、総アミノ酸量が１５．２ｍｇ％であった。これに対し、テアニン、グルタミン酸、アスパラギン酸の混合液を標準アミノ酸として用いて総アミノ酸量を求めた本発明法６の値は２０．０ｍｇ％であった。リンゴ濃縮果汁、緑茶抽出液はアミノ酸分析計で測定した総アミノ酸量と比較してそれぞれ、１９．５％、３１．６％高い数値が出ているがこれはペプチドなどアミノ酸以外の成分がフルオレスカミンと反応し、蛍光物質を生成するためと推測される。食品など天然物の分析の場合はこれらを含めた分析値を品質管理における指標として採用すれば、通常の分析では十分使用しうる。
【図面の簡単な説明】
【００４７】
【図１】アミノ酸の濃度とピーク面積（蛍光強度）についてプロットしたグラフである。この範囲で直線性が確認された。
【図２】試料溶液のＨＰＬＣチャートであり、蛍光反応物のピークはシャープで良好な分離を示した。
【図３】４種の標準アミノ酸を使用した標準アミノ酸溶液１の希釈液（１ａ）のＨＰＬＣチャートであり、蛍光反応物のピークはシャープで良好な分離を示した。
【図１】
2007046951.tif 000005
【図２】
2007046951.tif 000006
【図３】
2007046951.tif 000007
【手続補正書】
【提出日】平成17年8月17日(2005.8.17)
【手続補正１】
【補正対象書類名】明細書
【補正対象項目名】００３３
【補正方法】変更
【補正の内容】
【００３３】
比較例１
アミノ酸自動分析計による混合アミノ酸モデルの総アミノ酸量の定量
実施例１で調製した混合アミノ酸モデルをアミノ酸分析計により測定し、総アミノ酸量を求めたところ、１４０．１ｍｇ％の値を得た（比較法１）。
【手続補正２】
【補正対象書類名】明細書
【補正対象項目名】００３７
【補正方法】変更
【補正の内容】
【００３７】
【表２】
2007046951.tif 000008